(57)【特許請求の範囲】
【請求項１】
原稿画像を光学的に走査して画像データに変換する画像読み取り手段と、
前記画像データを色成分に分解する色成分分解手段と、
該色成分分解手段により分解された色成分の画像データを出力する画像形成手段と、
前記色成分の画像データが単色かフルカラーかを選択する選択手段と、
画像形成動作が単色であり、かつ現像色を少なくとも２色以上重ねる場合に、１色現像での濃度カーブと比較して、濃度カーブを全体的に低くすると共にエッジ強調度を全体的に弱くする濃度調整機能手段と、
原稿画像が文字であるか絵柄であるかを判定する文字・絵柄判定手段と、
原稿画像が有彩色か無彩色であるかを判定する有彩色・無彩色判定手段とを有し、
前記有彩色・無彩色判定手段は、有彩色が現像色の１次色（ＣＭＹ）であるか２次色（ＲＧＢ）であるかを判定し、２次色であり、かつ２次色の文字と判定された場合には、１次色であり、かつ１次色の文字と判定された場合と比較して、前記エッジ強調度を弱くすることを特徴とするディジタル画像処理装置。
【請求項２】
前記エッジ強調度を弱くする濃度調整は、前記２次色の文字と判定された領域と、前記１次色の文字と判定された領域とで色補正係数を切り替え、２次色の文字用の色補正係数は２次色の高彩度側の色再現範囲を狭くする濃度調整であることを特徴とする請求項１記載のディジタル画像処理装置。
【請求項３】
前記エッジ強調度を弱くする濃度調整は、原稿画像が無彩色であり、かつ黒文字と判定された場合には、現像色Ｂｋ版時におけるエッジ強調度と、現像色ＣＭＹ版時におけるエッジ強調度とを比較して、ＣＭＹ版時でのエッジ強調度を弱くする濃度調整であることを特徴とする請求項２記載のディジタル画像処理装置。
【発明の詳細な説明】
【０００１】
【発明の属する技術分野】
本発明は、ディジタル画像処理装置に関し、特に、１色ずつディジタルカラー画像の現像を行う１ドラム方式に適応するディジタル画像処理装置に関する。
【０００２】
【従来の技術】
従来、ディジタル画像処理装置は、複写機のカラーモードとして、白黒モード、フルカラーモードの２種類がほとんどである。それぞれ色（あるいは濃度）を調整する機能は、より忠実なコピーを得るために重要である。フルカラーモードの色調整機能として大きな位置を占めているのは、色補正係数、ＵＣＲ、プリンタガンマで、特にプリンタガンマに関してはルックアップテーブルを持ち、出力画像の色を精度良く調整できるように作られている。
【０００３】
一般に、白黒モードの濃度調整機能として大きな位置を占めているのもプリンタガンマで、フルカラーモードにおけるプリンタガンマとは別に用意され、出力画像の濃度を精度良く調整できるように作られている。
【０００４】
本願発明と技術分野の類似する従来例１として、特開平１−２５２０６９号公報の“カラー画像形成装置における画像処理方法”がある。本従来例は、ＵＣＲに関するものであり、原稿上のエッジ部を判定し、エッジ部ではＵＣＲ率を高くし、エッジでない部分ではＵＣＲ率を低くすることを特徴としている。
【０００５】
従来例２として、特開平２−１２８８６９号公報の“色変換機能を有する色補正処理方法”がある。本従来例は、色補正係数に関するものであり、入力されるデータの有彩成分、および無彩成分の量を見て色補正係数を切り替えることを特徴としている。
【０００６】
従来例３として、特開平４−２６０２７４号公報の“色分解装置”がある。本従来例は、色補正係数に関するものであり、フィルム出力モードにてカラーフィルムの種類が変更された場合に、その特性に応じて色補正係数を切り替えることを特徴としている。
【０００７】
さらに従来例４として、特開平４−３２９０６８号公報の“画像読取装置”がある。本従来例は、エッジ強調に関するものであり、原稿種類によりエッジ強調度を切り替えることを特徴としている。
【０００８】
【発明が解決しようとする課題】
しかしながら、上記の従来例では、それぞれ原稿種類や原稿濃度を見て適切な処理に切り替えるようにしているが、カラーモードや現像色の組み合わせによる処理の切り替えまで言及しているものはない。例えば、上記以外のカラーモードであるシングルカラーモードに関しては、あまり言及されていない場合が多い。
【０００９】
この点に着目してシングルカラーモードでの画像処理を考察した場合、シングルカラー、特に２次色（ＲＧＢ）での濃度は、１次色（ＣＭＹ）での濃度を２色分重ねるため、トナーが乗り過ぎてエッジ付近でチリが生じるという問題がある。特に、文字部等強いエッジが存在する周辺ではこの現象が著しい。更にこれを発展させて、シングルカラーモードに限らずフルカラーモードにおいても、２次色（ＲＧＢ）やＣＭＹ成分を含む黒（彩度の低い有彩色）は、トナーの乗り過ぎでエッジ付近でチリが生じてしまう。
【００１０】
本発明は、エッジ付近でのトナーの乗りすぎによるチリの発生を防止したディジタル画像処理装置を提供することを目的とする。
【００１１】
【課題を解決するための手段】
かかる目的を達成するため、本発明のディジタル画像処理装置は、原稿画像を光学的に走査して画像データに変換する画像読み取り手段と、画像データを色成分に分解する色成分分解手段と、この色成分分解手段により分解された色成分の画像データを出力する画像形成手段と、色成分の画像データが単色かフルカラーかを選択する選択手段と、画像形成動作が単色であり、かつ現像色を少なくとも２色以上重ねる場合に、１色現像での濃度カーブと比較して、濃度カーブを全体的に低すると共にエッジ強調度を全体的に弱くする濃度調整機能手段と、原稿画像が文字であるか絵柄であるかを判定する文字・絵柄判定手段と、原稿画像が有彩色か無彩色であるかを判定する有彩色・無彩色判定手段とを有することを特徴としている。
【００１４】
また、上記の有彩色・無彩色判定手段は、有彩色が現像色の１次色（ＣＭＹ）であるか２次色（ＲＧＢ）であるかを判定し、２次色であり、かつ２次色の文字と判定された場合には、１次色であり、かつ１次色の文字と判定された場合と比較して、エッジ強調度を弱くするとよい。
【００１５】
なお、上記エッジ強調度を弱くする濃度調整は、２次色の文字と判定された領域と、１次色の文字と判定された領域とで色補正係数を切り替え、２次色の文字用の色補正係数は２次色の高彩度側の色再現範囲を狭くする濃度調整とするとよい。
【００１６】
また、エッジ強調度を弱くする濃度調整は、原稿画像が無彩色であり、かつ黒文字と判定された場合には、現像色Ｂｋ版時におけるエッジ強調度と、現像色ＣＭＹ版時におけるエッジ強調度とを比較して、ＣＭＹ版時でのエッジ強調度を弱くする濃度調整とするとよい。
【００１７】
【発明の実施の形態】
次に添付図面を参照して本発明によるディジタル画像処理装置の実施の形態を詳細に説明する。図１〜図１６を参照すると本発明のディジタル画像処理装置の一実施形態が示されている。図１は、本発明のディジタル画像処理装置の実施形態をディジタルカラー複写機に適用した場合の全体構成図である。
【００１８】
図１において１００はレーザプリンタ、２００は自動原稿送り装置、３００は操作ボード、４００はイメージスキャナ、５００は外部センサである。
【００１９】
イメージスキャナ４００は、コンタクトガラス４０１の下方に配置された照明用のランプ４０２を搭載した移動体を図の左右方向（副走査方向）に機械的に一定速度で移動させ、原稿画像を読み取る画像読み取り部である。
【００２０】
照明用のランプ４０２から出た光は、コンタクトガラス４０１上に載置される原稿の表面で原稿画像の濃度に応じて反射する。この反射光、即ち、原稿の光像は多数のミラー及びレンズを通り、ダイクロックプリズム４１０に入射する。ダイクロックプリズム４１０は入射光を波長に応じてＲ、Ｇ、Ｂの３色に分光する。分光された３つの光は、それぞれ互いに異なる一次元電荷結合素子（ＣＣＤ）イメージセンサ４１０に入射する。こうしてイメージスキャナ４００に備わった３つの一次元イメージセンサ４１０により、原稿画像上の主走査方向１ラインのＲ、Ｇ、Ｂ各色成分を同時に読み取ることができる。原稿の二次元画像は、上記移動体の副走査により順次読み取られる。
【００２１】
外部センサ５００は、イメージスキャナ４００と同様に原画画像のＲ、Ｇ、Ｂ各色成分を同時に検出できるＣＣＤで構成されたハンディタイプのスキャナに内蔵されている。
【００２２】
ＡＤＦ２００は、イメージスキャナ４００の上方に配置されており、原稿台２１０上には多数の原稿を載積した状態で保持することができる。原稿の給紙動作を行う場合は、回転する呼び出しコロ２１２が最上部の原稿上面に当接し、当接した原稿を繰り出す。
【００２３】
２１３は、重送を避けるための分離コロである。所定の位置まで繰り出された原稿は、プルアウトローラ２１７および搬送ベルト２１６の駆動によりイメージスキャナ４００のコンタクトガラス４０１上をさらに搬送され、所定の読み取り位置まで進んだ時、即ち、原稿の先端がコンタクトガラス４０１の左端位置に達したときに停止する。原稿の読み取りが終了すると、搬送ベルト２１６が再び駆動されて、コンタクトガラス４０１上の原稿は排紙され、次の原稿が読み取り位置に送られる。呼び出しコロ２１２の手前には、原稿が載積されているか否かを検知するための光学センサ、原稿有無センサ２１１が、また、分離コロ２１３とプルアウトローラ２１７の間には、原稿の先端及びサイズを検知するための光学センサ、原稿先端センサ２１４が備わっている。
【００２４】
原稿先端センサ２１４は、主走査方向（紙面に垂直な方向）の互いに異なる位置に配置された複数のセンサで構成されており、これらのセンサの検出状態の組み合わせにより、主走査方向の原稿サイズ、即ち、原稿幅を検知することができる。また、図示しない給紙モータに回転量に応じたパルスを出力するパルス発生器が設けられており、ＡＤＦ２００の制御装置は原稿先端センサ２１４を原稿が通過するまでの時間を計測することにより、副走査方向の原稿サイズ、即ち原稿の長さを検知する。
【００２５】
なお、呼び出しコロ２１２及び分離コロ２１３は給紙モータにより駆動され、プルアウトローラ２１７及び搬送ベルト２１６は搬送モータにより駆動される。また、光学センサからなるレジストセンサ２１５は、プルアウトローラ２１７の下流に配置される。
【００２６】
次にレーザプリンタ１００の概略構成およびその動作を説明する。画像の再生は感光体ドラム１上で行われる。感光体ドラム１の周囲には一連の静電写真のプロセスユニット、即ち、帯電チャージャ５、書き込みユニット３、現像ユニット４、転写ドラム２、クリーニングユニット６などが備わっている。書き込みユニット３には図示しないレーザダイオードが備わっており、それが発するレーザ光は回転多面鏡３ｂ、レンズ３ｃ、ミラー３ｄ、及びレンズ３ｅを経て感光体ドラム１の表面に照射される。回転多面鏡３ｂはポリゴンモータ３ａにより高速で定速回転駆動される。
【００２７】
画像制御装置は、記録すべき画像の濃度に対応する画素単位の２値信号（記録有／記録無）により駆動されるレーザダイオードの発光タイミングが、各々の画素位置を順次走査する回転多面鏡３ｂの回転偏向動作と同期するように、レーザダイオードの駆動信号を制御する。つまり、感光体ドラム１の表面の画像の各走査位置で、その画素の濃度（記録有／記録無）に応じたレーザ光が照射されるようにレーザダイオードをオン／オフ制御する。
【００２８】
感光体ドラム１の表面は、予め帯電チャージャ５によるコロナ放電により一
様に高電位に帯電されている。この表面に書き込みユニット３の発するレーザ光が照射されると、その光の強度に応じて帯電電位が変化する。つまり、書き込みユニット３が備えているレーザダイオードが発するレーザ光の照射の有無に応じた電位分布が、感光体ドラム１上に形成されることになる。こうして、感光体ドラム１上に原稿画像の濃淡に対応した電位分布、即ち静電潜像が形成される。この静電潜像は書き込みユニット３よりも下流に配置された現像ユニット４により可視像化される。
【００２９】
本構成例では、現像ユニット４には４組の現像器４Ｍ、４Ｃ、４Ｙおよび４Ｂｋが備えられており、それぞれの現像器には互いに色の異なるＭ（マゼンタ）、Ｃ（シアン）、Ｙ（イエロー）およびＢｋ（ブラック）のトナーが収納されている。レーザプリンタ１００は、上記４つの現像器のいずれか一つが選択的に付勢されるように構成されているので、静電潜像はＭ、Ｃ、Ｙ又はＢｋ色のいずれか一つのトナーで可視像化される。一方、給紙カセット１１に収納された転写紙は、給紙コロ１２で繰り出され、レジストローラ１３によりタイミングを取られて転写ドラム２の表面に送り込まれ、その表面に吸着された状態で転写ドラム２の回転に伴って移動する。そして感光体ドラム１の表面に近接した位置で、転写チャージャ７による帯電により、感光体ドラム１上に形成されたトナー像が転写紙の表面に転写される。
【００３０】
単色コピーモードの場合には、トナー像の転写が終了し、転写ドラム２から分離された転写紙は定着されて排紙トレイ１０に排紙されるが、フルカラーモードの場合には、Ｂｋ、Ｍ、Ｃ及びＹの４色の画像を一枚の転写紙上に重ねて形成する必要がある。この場合、まず感光体ドラム１上にＢｋ色のトナー像を形成してそれを転写紙に転写した後、転写紙を転写ドラム２から分離することなく感光体ドラム１上に次のＭ色のトナー像を形成し、そのトナー像を再び転写紙に転写する。更にＣ色及びＹ色についても感光体ドラム１上へのトナー像の形成とそれの転写紙への転写を行う。つまり、トナー像の形成と転写のプロセスを繰り返すことにより１つのカラー画像が転写紙上に形成される。
【００３１】
全てのトナー像の転写が終了すると、転写紙は分離チャージャ８による帯電により転写ドラム２から分離され、定着器９でトナー像の定着処理を受けた後排紙トレイ１０に排出される。
【００３２】
図２は、ディジタル複写機の画像処理部の構成例を示す回路ブロック図である。複写機全体の動作制御は、マイクロコンピュータで構成されるシステムコントローラ５０により制御される。
【００３３】
同期制御回路６０は、制御タイミングの基準となるクロックパルスを発生させて、各制御ユニット間の信号の同期をとる各種の同期信号を入出力させる。本構成例での走査タイミングの基になる主走査同期信号は、レーザプリンタ１００の回転多面鏡３ｂの回転によるレーザ光の走査開始時期に同期させている。
【００３４】
イメージスキャナ４００で読み取られたＲ、Ｇ、Ｂ各色の画像信号は、Ａ／Ｄ変換され、各々８ビットのカラー画像情報として出力される。この画像情報は、画像処理ユニット内で各種処理を受けた後、レーザプリンタ１００に出力される。画像処理ユニットは、スキャナガンマ補正７１、ＲＧＢ平滑フィルタ７２、色補正７３、下色除去（ＵＣＲ）／ＵＣＡ７４、セレクタ７５、エッジ強調フィルタ７６、濃度カーブであるプリンタガンマ７７、階調処理７８、像域分離７９、及びＡＣＳ８０の各回路を備えている。
【００３５】
スキャナガンマ補正７１では、イメージスキャナ４００で読み取られた反射率リニアのＲＧＢデータを濃度リニアのＲＧＢデータに変換する。ＲＧＢ平滑フィルタ７２では、網点原稿によるモアレを抑えるためのスムージング処理を行っている。
【００３６】
色補正回路７３では、Ｒ、Ｇ、Ｂのそれぞれの色の画像情報をそれらの補色であるＹ、Ｍ、Ｃの各色の画像情報に変換する。ＵＣＲ／ＵＣＡ回路７４では、入力したＹ、Ｍ、Ｃ色の全ての画像情報を合成した画像信号の色に含まれる黒成分を抽出し、それをＢｋ信号として出力すると共に、残りの色の画像信号から黒成分を除去し、かつＹＭＣ成分を上乗せする。
【００３７】
セレクタ７５は、システムコントローラ５０の指示に応じて、入力されるＹ、Ｍ、Ｃ、Ｂｋの色信号からいずれか一つの色信号を選択して次のブロックへ出力する。
【００３８】
エッジ強調フィルタ回路７６では、文字部、あるいは絵柄部のエッジ情報の強調を行う。また、プリンタガンマ７７では、プリンタ特性に合わせたカーブをセットし、階調処理を含めて濃度リニアになるようにする。
【００３９】
階調処理回路７８は、入力される８ビットの濃度情報を２値化、あるいは多値化する回路である。一般にディザ処理が行われることが多く、レーザプリンタ１００には、ディザ処理された画像信号が出力される。
【００４０】
スキャナガンマ７１の出力は、一方で像域分離回路７９とＡＣＳ回路８０に送出される。像域分離回路７９では、入力される画像が文字部であるか絵柄部であるかを判定する回路と、有彩色であるか無彩色であるかを判定する回路を持っており、その結果を１画素単位でそれぞれの処理ブロックへ送出している。各処理ブロックでは、像域分離回路７９の結果に従い処理を切り替えている。
【００４１】
ＡＣＳ回路８０は、スキャナ２００にセットされた原稿が白黒原稿であるかカラー原稿であるかを判定し、結果をＢｋ版スキャン終了時システムコントローラ５０へ送出している。カラー原稿であれば残りの３スキャンを行い、白黒原稿であればＢｋスキャンにて動作を終了させる。
【００４２】
図３は、本実施形態が適用される図２に示した画像処理部の詳細図である。
７１〜８０の各画像処理ブロックのパラメータは、全てシステムコントローラ５０のＣＰＵより設定される構成となっている。図３では、その中のエッジ強調フィルタ７６とプリンタガンマ７７のみ記載している。
【００４３】
第１の実施形態を図３、図４を使って説明する。操作部３００よりシングルカラーが設定されると、操作部３００のＣＰＵ３０４から画像処理用のＣＰＵ３０１にシリアル通信にてシングルカラー色が送信される。画像処理用ＣＰＵ３０１では、シングルカラー色を見て設定すべきプリンタガンマをプリンタガンマ７７へ設定する。しかし、従来ならば、現像色に関係無くシングルカラー用のプリンタガンマテーブルが用意されているので、それをスタートキーが押された時点で設定すれば良かった。
【００４４】
通常、プリンタガンマテーブルとしては、図４に示すような濃度キーによる濃度調整用に５〜９種類のテーブルを持っている。濃度調整を行わない場合には、センターのカーブ、図４でいうと３番テーブル、が設定される。第１の実施形態では、シングルカラーＣ、Ｍ、Ｙ、Ｂｋが選択された場合には、通常と同じ３番テーブルが設定される。しかし、Ｒ、Ｇ、Ｂ、登録色が選択された場合には、通常ガンマよりも濃度の低い２番か１番のテーブルを設定するように画像処理用ＣＰＵ３０１のＲＯＭ３０３にプログラムされている。これによりガンマテーブルの切替えを行っている。
【００４５】
第２の実施形態も図３に示した画像処理部に適用される。エッジ強調フィルタ７６の構成例を図５を使って説明する。エッジ強調フィルタとして一般的なのは固定係数方式であり、例えば下記（１）を演算することでエッジ強調を行う。
【００４６】
0003627889.tif 000002
【００４７】
第１の実施形態は、エッジ度により強調度を変化させる適応型エッジ強調を示している。セレクタ７５から各現像色毎に８ビット画像データが送られてくる。そのデータを２ライン分メモリに蓄えてラプラシアンフィルタ５０１に入力する。これにより求められたエッジ度を主走査方向３画素分スムージング（５０２）をかけ、その後シフト除算を行う。
【００４８】
シフト除算は、シフトテーブル５０３に従って行われるが、通常エッジ度が大きい場合に小さい値、エッジ度が小さい場合には大きな値が設定される。そしてシフト除算の結果を上記の８ビット画像データと加算して出力する。
【００４９】
第２の実施形態を説明する。操作部からカラーモードを選択し、その内容が画像処理用のＣＰＵ３０１に送信されるまでは、第１の実施形態と同じなので省略する。操作部３００にてシングルカラーＣ、Ｍ、Ｙ、Ｂｋが選択された場合には通常と同じシフトテーブル５０３が設定されるが、Ｒ、Ｇ、Ｂ、登録色が選択された場合には通常のシフトテーブルよりも全体的にシフト量が多くなる、エッジ強調度としては、弱いシフトテーブル２が設定されるように画像処理用ＣＰＵ３０１のＲＯＭ３０３にプログラムされている。
【００５０】
固定係数方式で２種類以上のエッジ強調フィルタを用意し、切り替えるようにすれば同じことが実現できる。例えば下記（２）のエッジ強調フィルタを用意する。
【００５１】
0003627889.tif 000003
【００５２】
操作部３００にてシングルカラーＣ、Ｍ、Ｙ、Ｂｋが選択された場合にはフィルタ（１）が選択され、Ｒ、Ｇ、Ｂ、登録色が選択された場合にはフィルタ（２）が選択されるように画像処理用ＣＰＵ３０１のＲＯＭ３０３にプログラムしておけば良い。
【００５３】
第３の実施形態は像域分離７９により各処理を切り替える手段が加わってくるので、まずこの説明を行う。像域分離７９の基本的な構成例を図６に示す。スキャナガンマ７１のＲＧＢ出力が有彩判定６０３に、その中のＧ信号だけがエッジ判定６０１、網点判定６０２にそれぞれ入力される。
【００５４】
有彩判定６０３の出力から有彩／無彩信号が１ビット出力され、エッジ判定６０１と網点判定６０２とから文字／写真信号が１ビット出力される。文字とはエッジであり、かつ網点で無い領域であり、写真は文字でない領域としている。この２ビット出力から、最終判定６０４にて、色文字、黒文字、絵柄と３種類の領域に分けられる。色文字とは有彩であり、かつ文字である。黒文字とは無彩であり、かつ文字である。絵柄とはこの２つのどちらでも無い領域を示している。
【００５５】
エッジ判定６０１、網点判定６０２、有彩判定６０３のそれぞれについての構成例を示す。
エッジ判定６０１の構成例を図８に示す。入力されたＧデータの２値化（８０１）をまず行う。これはエッジをパターンマッチングにより検出するためである。本構成例では２値化となっているが、データのグレーをパターンマッチングの対象として弱くするため、３値化する方法もある。２値化、３値化はどちらでも構わない。この後２値化された結果をパターンマッチングサイズ−１分のラインメモリに蓄えて、パターンマッチング（エッジ検出８０２）を行う。
【００５６】
４×４のサイズにおけるパターン例を図９（ａ）および図９（ｂ）に示す。黒丸が２値化後１（濃度が濃い）、白丸が２値化後０（濃度が薄い）、×印がｄｏｎ’ｔ  ｃａｒｅを示している。パターンにマッチした時「１」を出力し、そうでない時「０」を出力している。エッジ検出８０２後、特定領域にてエッジ候補をカウントするため、副走査方向領域サイズ−１分のラインメモリにデータを蓄え、エッジカウント８０３にて計数を行う。
【００５７】
カウント数がある値以上であれば、その領域での注目画素をエッジ部であると判定する。図９（ｃ）では、４×４領域の例を示している。スレッシュが「１０」であればエッジ部と判定され、スレッシュが「１４」であれば非エッジ部と判定される。
【００５８】
通常はこれでエッジ判定出力となるが孤立点等を除去するため、更にブロック判定８０４を設ける場合もある。これはエッジ判定された注目画素の周辺の判定結果を見て、エッジ判定が多い場合にはそのままエッジ判定を有効とし、エッジ判定が少ない場合にはエッジ判定を無効にしてしまうものである。以上がエッジ判定のアルゴリズムである。
【００５９】
網点判定６０２の構成例を図１０に示す。入力されたＧデータの２値化（１００１）をまず行う。これは網点をパターンマッチングにより検出するためである。本構成例では２値化となっているが、データのグレーをパターンマッチングの対象として弱くするため、３値化する方法もある。２値化、３値化はどちらでも構わない。この後２値化された結果をパターンマッチングサイズ−１分のラインメモリに蓄えて、パターンマッチング（網点検出１００２）を行う。
【００６０】
４×４のサイズにおけるパターン例を図１１（ａ）および図１１（ｂ）に示す。黒丸が２値化後「１」（濃度が濃い）、白丸が２値化後「０」（濃度が薄い）、×印がｄｏｎ’ｔ  ｃａｒｅを示している。パターンにマッチした時「１」を出力し、そうでない時「０」を出力している。網点検出１００２後、特定領域にて網点候補をカウントするため、副走査方向領域サイズ−１分のラインメモリにデータを蓄え、網点カウント１００３にて計数を行う。
【００６１】
カウント数がある値以上であれば、その領域での注目画素を網点部であると判定する。図１１（ｃ）では、４×４領域の例を示している。スレッシュが「１０」であれば網点部と判定され、スレッシュが「１４」であれば非網点部と判定される。通常はこれで網点判定出力となるが網点検出もれを防ぐため、更に膨張処理１００４を設ける場合もある。これは網点判定された注目画素の周辺も網点判定に変えてしまうものである。以上が網点判定のアルゴリズムである。
【００６２】
有彩判定６０３の構成例を図１２に示す。入力されたＲＧＢデータのスムージングをまず行う（平滑化１２０１）。これは網点データ等の濃度の凸凹を無くし、一様な判定結果を出力するためである。その後ＲＧＢの最小値と最大値を求め、最小値（＝ｍｉｎＲＧＢ）と差分値（＝△＝（ｍａｘＲＧＢ−ｍｉｎＲＧＢ））を検出する（差分検出１２０２）。そして最小値によりレベルを何段階かに分けて、例えば、（ｍｉｎＲＧＢ＜ＴＨ１１）＆（△＞ＴＨ１２）、あるいは（ＴＨ１１≦ｍｉｎＲＧＢ＜ＴＨ２１）＆（△＞ＴＨ２２）、あるいは（ＴＨ２１≦ｍｉｎＲＧＢ＜ＴＨ３１）＆（△＞ＴＨ３３）の時に、有彩部と判定され、それ以外の時に無彩部と有彩判定１２０３で判定される。
【００６３】
通常はこれで有彩判定出力となるが孤立点等を除去するため、更にブロック判定１２０４を設ける場合もある。これは有彩判定された注目画素の周辺の判定結果を見て、有彩判定が多い場合にはそのまま有彩判定を有効とし、有彩判定が少ない場合には有彩判定を無効にして無彩判定に変えてしまう、というものである。以上が有彩判定のアルゴリズムである。
【００６４】
図５に示す、エッジ強調フィルタ７６の構成例である適応型エッジ強調については、上に説明済みである。上記の説明において、操作部３００より入力されるカラーモードによりシフトテーブル５０３を切り替えていたが、第４の実施形態では先程説明した像域分離７９の出力により１画素単位で切り替えを行う。回路としてはシフトテーブル５０３を２種類持ち、一方は通常処理用、もう一方は黒文字用のテーブルとし、現像色がＢｋ版時には常に通常処理用のテーブルが選択され、現像色がＣＭＹ版時には、黒文字と判定された場合には黒文字用のテーブルが、それ以外の時には通常用のテーブルが選択されるように画像処理用のＣＰＵ３０１のＲＯＭ３０３にプログラムされている。
【００６５】
新規な像域分離７９の全体構成図を図７に示す。第５の実施形態では、図６に示した基本的な機能の像域分離にプラスして色判定が加わる。
図７において、エッジ判定６０１、網点判定６０２、有彩判定６０３は従来と同じなので説明は省略する。新しく加わった色判定７０１の説明をまず行う。色判定７０１の構成例を図１３に示す。入力されたＲＧＢデータのスムージングをまず行う（平滑化１３０１）。これは網点データ等の濃度の凸凹を無くし、一様な判定結果を出力するためである。その後ＲＧＢを大、中、小と３段階にランクづけする。
【００６６】
今一番大きいデータをＬ＝ｍａｘＲＧＢ、一番小さいデータをＳ＝ｍｉｎＲＧＢ、中間のデータをＭ＝ｍｉｄｄｌｅＲＧＢとして出力する（大小検出１３０２）。色判定１３０３では２次色であるＲＧＢの検出を行っている。有彩色の２次色と１次色を分けるポイントとして図１４にも示したように、２次色はＲＧＢのうち１色のみのレベルが低いのに対して、１次色はＲＧＢのうち２色までのレベルが低いことを利用して判定を行っている。つまり、以下の条件が成り立った時に２次色と判定している。
【００６７】
（Ｓ＜ＴＨ１）＆（Ｌ＞ＴＨ２）＆（（Ｌ−Ｍ）＜ＴＨ３）
【００６８】
実際にはＲＧＢでも濃度により関係式が異なってくる場合があるので、例えばＳを何段階かに分けてそれぞれに条件をつけて判定する場合もある。
【００６９】
（Ｓ＜ＴＨ１１）          ＆（Ｌ＞ＴＨ１２）＆（（Ｌ−Ｍ）＜ＴＨ１３）
（ＴＨ１１≦Ｓ＜ＴＨ２１）＆（Ｌ＞ＴＨ２２）＆（（Ｌ−Ｍ）＜ＴＨ２３）
（ＴＨ２１≦Ｓ＜ＴＨ３１）＆（Ｌ＞ＴＨ３２）＆（（Ｌ−Ｍ）＜ＴＨ３３）
また、ＲＧＢの色により条件が異なる場合があるので、実際にはＲ用、Ｇ用、Ｂ用と別々にＴＨを与え、どれかひとつでも成り立っていればＯ．Ｋ．としている。
【００７０】
通常はこれで色判定出力となるが、孤立点等を除去するため、更にブロック判定１３０４を設ける場合もある。これは２次色判定された注目画素の周辺の判定結果を見て、２次色判定が多い場合にはそのまま２次色判定を有効とし、２次色判定が少ない場合には２次色判定を無効にし１次色判定としてしまう、というものである。以上が色判定のアルゴリズムである。この色判定７０１が加わることで最終判定７０２の出力は２次色文字、１次色文字、黒文字、絵柄と４種類の領域に分けられる。２次色文字とは有彩であり、２次色であり、かつ文字である。１次色文字とは有彩であり、１次色であり、かつ文字である。黒文字とは無彩であり、かつ文字である。絵柄とはこの３つのどれでも無い領域を示している。
【００７１】
第５の実施形態の構成例を説明する。回路構成としては図５の適応型エッジ強調回路を用いる。エッジ強調回路の説明はここでは省略する。シフトテーブルとして２種類持ち、テーブル１には通常の文字部におけるシフト量が、テーブル２には２次色文字用のシフト量が画像処理用ＣＰＵ３０１にて設定され、新像域分離７９の２次色文字出力のＯＮ／ＯＦＦを見て、ＯＦＦの時はテーブル１が、ＯＮの時はテーブル２が選択されるよう画像処理用ＣＰＵ３０１のＲＯＭ３０３にプログラムされている。テーブル１と２を切り替えるセレクタとしてハードウェアで実現する場合が多い。例えば、図１６のセレクタ１６０２がその例である。
【００７２】
第５の実施形態の変化例を説明する。新像域分離７９からの出力である２次色文字信号により色補正係数を切り替えるものである。通常の色補正係数での再現範囲を図１５（ａ）に示す。色補正法としてはマスキング法、ノイゲバウアー法（面積率）、ブラックボックス法とあるが、今回の実施形態ではマスキング法を用いている。マスキング法は１次色、２次色のベタ濃度から、全ての色の濃度を求める方法である。実際はベタ濃度からハイライト、中間濃度、シャドー全てを網羅するのは難しいので、今回の例ではベタ濃度（図１５（ａ）のＹ２、Ｒ２、…、Ｇ２）により中間濃度からシャドーまでを表し、中間濃度（図１５（ａ）のＹ１、Ｒ１、…、Ｇ１）によりハイライトから中間濃度までを表している。
【００７３】
色補正係数での色再現範囲を図１５（ｂ）に示す。２次色のベタ濃度をそのまま表現すると、トナーの乗り過ぎによりチリが発生するので、２次色の高彩度部を抑える係数としている（図１５（ｂ）のＲ２、Ｇ２、Ｂ２）。回路の実施形態を図１６に示す。通常の色補正係数を色補正係数１（１６０３）に、２次色文字用の色補正係数を色補正係数２（１６０４）に、画像処理用のＣＰＵ３０１よりそれぞれ設定される。新像域分離７９の２次色文字出力によりセレクタ１６０２を切り替え、それぞれの色補正係数を用いて演算を演算部１６０１にて行っている。以上のような動作をするように画像処理用のＣＰＵ３０１のＲＯＭ３０３にプログラムする。
【００７７】
【発明の効果】
以上の説明より明らかなように、本発明のディジタル画像処理装置は、請求項１では、画像形成動作としてフルカラーモードが選択されていて、原稿画像が２次色（ＲＧＢ）文字の場合に、１次色（ＣＭＹＢｋ）文字とは別の色補正係数をセットする。２次色文字の色補正係数は２次色の高彩度側の色再現範囲を狭くすることで、２色重ねの文字部でのトナーチリによる画質劣化を防ぐことができる。
【００７８】
請求項２では、画像形成動作としてフルカラーモードが選択されていて、原稿画像が無彩色文字の場合に、Ｂｋ版でのエッジ強調度とＣＭＹ版でのエッジ強調度とを変える。よって、余分な色成分の強調を避け、色重ねによるトナーチリによる画質劣化を防ぐことができる。
【００７９】
請求項３では、ＣＭＹ版でのエッジ強調度をＢｋ版でのエッジ強調度より弱くすることで、さらに余分な色成分の強調を避け、色重ねによるトナーチリによる画質劣化を防ぐことができる。
【図面の簡単な説明】
【図１】本発明のディジタル画像処理装置の実施形態をディジタルカラー複写機に適用した場合の全体構成図である。
【図２】ディジタルカラー複写機の電装部（画像処理部）の概略構成を示すブロック図である。
【図３】図２の電装部の概略構成を示すブロック図である。
【図４】プリンタガンマカーブを示す図である。
【図５】エッジ強調フィルタの構成例であり、適応型エッジ強調回路を示す図である。
【図６】像域分離回路の基本的な構成例を示すブロック図である。
【図７】２次色判定を含む像域分離回路の構成例を示すブロック図である。
【図８】像域分離内、エッジ判定回路のブロック図である。
【図９】エッジ判定内、エッジ検出、エッジカウントパターンの１例である。
【図１０】像域分離内、網点判定回路のブロック図である。
【図１１】網点判定内、網点検出、網点カウントパターンの１例である。
【図１２】像域分離内、有彩判定回路のブロック図である。
【図１３】像域分離内、色判定回路のブロック図である。
【図１４】２次色、１次色のＲＧＢ濃度分布を示す図である。
【図１５】色再現範囲を示す図である。
【図１６】電装部の構成を示すブロック図である。
【符号の説明】
１  感光体ドラム
２  転写ドラム
３  書き込みユニット
４  現像ユニット
９  定着器
１０  排紙トレイ
１１  給紙カセット
５０  システムコントローラ
６０  同期制御回路
７１  スキャナガンマ
７２  平滑フィルタ
７３  色補正
７４  ＵＣＲ／ＵＣＡ
７５  セレクタ
７６  エッジ強調フィルタ
７７  プリンタガンマ
７８  階調処理
７９  像域分離
８０  ＡＣＳ
１００  レーザプリンタ
２００  自動原稿送り装置
３００  操作部
４００  イメージスキャナ
５００  外部センサ
【図１】
0003627889.tif 000004
【図２】
0003627889.tif 000005
【図３】
0003627889.tif 000006
【図４】
0003627889.tif 000007
【図５】
0003627889.tif 000008
【図６】
0003627889.tif 000009
【図７】
0003627889.tif 000010
【図８】
0003627889.tif 000011
【図９】
0003627889.tif 000012
【図１０】
0003627889.tif 000013
【図１１】
0003627889.tif 000014
【図１２】
0003627889.tif 000015
【図１３】
0003627889.tif 000016
【図１４】
0003627889.tif 000017
【図１５】
0003627889.tif 000018
【図１６】
0003627889.tif 000019